(57)【特許請求の範囲】
【請求項１】
インパクトミルであって、該インパクトミルは、ベアリングハウジングの中に回転可能に据え付けられたローターが配置された基部部分を備え、該ローターは、該ローターの回転軸と同軸の上向きに位置合わせされた円錐表面部分を有し、該ローターは、複数のインパクトナイフが提供された水平な上部表面をさらに有し、該複数のインパクトナイフは、該ローターの該回転軸から該水平な上部表面の周囲の縁まで半径方向で外向きに互い違いになっており、該インパクトミルは、円錐研削経路を形成するために該ローターを囲む円錐トラックアセンブリーが中に設置されたミルケーシングを提供され、該ミルケーシングは、該ローターと該ミルケーシングとの間の研削ギャップを設定するように軸方向に調整されることが可能な下向きに位置合わせされた円筒状のカラーを有する、インパクトミル。
【請求項２】
前記円錐トラックアセンブリーは、複数の鋸歯状のインパクト表面を含む、請求項１に記載のインパクトミル。
【請求項３】
前記鋸歯状のインパクト表面は、該鋸歯状のインパクト表面が、前記ローターの回転軸に対して傾斜を形成するように配置される、請求項２に記載のインパクトミル。
【請求項４】
前記鋸歯状のインパクト表面の傾斜は、前記ローターの回転方向に対して正である、請求項３に記載のインパクトミル。
【請求項５】
前記鋸歯状のインパクト表面の傾斜は、前記ローターの回転方向に対して負である、請求項３に記載のインパクトミル。
【請求項６】
複数のインパクトナイフは、前記ローターの前記上向きに位置合わせされた円錐表面部分上に配置される、請求項１に記載のインパクトミル。
【請求項７】
前記ローターの前記水平な上部表面上に配置された前記複数のインパクトナイフは、該ローターの前記回転軸から該ローターの該水平な上部表面上の周囲の縁まで外向きに半径が等間隔で配置されている、請求項１に記載のインパクトミル。
【請求項８】
前記ローターの前記回転軸から該ローターの前記水平な上部表面上の周囲の縁まで外向きに半径が等間隔で配置された、３個〜７個の半径のインパクトナイフがある、請求項１に記載のインパクトミル。
【請求項９】
前記円錐トラックアセンブリーは、別個の円錐研削トラックセクションを備えている、請求項１に記載のインパクトミル。
【請求項１０】
前記別個の円錐研削トラックセクションは、前記円錐トラックアセンブリーを形成するようにインターロックされる、請求項９に記載のインパクトミル。
【請求項１１】
前記別個の円錐研削トラックセクションは、インターロック咬合切頭円錐である、請求項９に記載のインパクトミル。
【請求項１２】
前記別個の円錐研削トラックセクションは、それぞれ、鋸歯状のインパクト表面の異なる構成を含む、請求項９に記載のインパクトミル。
【請求項１３】
前記ローターに取り付けられ、スプロケット式駆動シーブを提供されるシャフトをさらに備え、該ローターは、同期スプロケット式ベルトによって回転され、該スプロケット式駆動シーブによって収容され、該同期スプロケット式ベルトは、電源と物理的に接続されている、請求項１に記載のインパクトミル。
【請求項１４】
前記同期スプロケット式ベルトは、螺旋状のオフセット歯を有する前記スプロケット式駆動シーブ内に収容された螺旋状の溝と、前記電源に接続された第２の同一シーブとを含む、請求項１３に記載のインパクトミル。
【請求項１５】
前記同期スプロケット式ベルト上の前記螺旋状の溝および前記螺旋状のオフセット歯は山形形状である、請求項１４に記載のインパクトミル。
【発明の詳細な説明】
【技術分野】
【０００１】
（発明の背景）
（発明の分野）
本発明は、固体を粉砕するためのデバイスに関する。より具体的には、本発明は、円錐形状のインパクトミルに関する。
【背景技術】
【０００２】
（先行技術の説明）
粒子状固体の粉砕を提供するデバイスは、当該分野で周知である。当該分野で公知の多くの異なるミリングデバイスの中で、グラインディングミル、ボールミル、ロッドミル、インパクトミルおよびジェットミルが最もよく使用される。もちろん、ジェットミルだけが、粒子の粒状化（ｄｉｓｉｎｔｅｇｒａｔｉｏｎ）を引き起こすために粒子状固体と別の表面との間の相互作用に依存しない。
【０００３】
ジェットミルは、作用する流体の利用によって粉砕を引き起こし、作用する流体は、流体圧力および加速されたベンチュリノズルを用いて、高速になるまで加速される。粒子は、例えば偏向表面のような標的、またはチャンバー内の他の動く粒子と衝突し、その結果として大きさが低減する。ジェットミルで粉砕された粒子の動作速度は、ほぼ毎秒１５０メートルからほぼ毎秒３００メートルの範囲である。ジェットミルは、有効ではあるが、粉砕の程度を制御し得ない。このことは、しばしば、過度な比率の小粒の生成という結果をもたらす。
【０００４】
その反対に、インパクトミルは、遠心力に依存し、粒子粉砕は、周囲の空間に封じ込められる円形加速された粒子と、静止した外側の周辺の壁との間で、インパクトによって生み出される。さらにまた、ジェットミルと比べて、粒子の大きさの分布の制御が改善され、操作され得るが、インパクトミルの粉砕された生成物の粒子の大きさの範囲は、デバイスの寸法および他の動作パラメートルによって決められる。
【０００５】
インパクトミル設計における主要な進歩は、特許文献１に開示されたタイプの設計によって提供される。そのインパクトミルは、回転軸と同軸な上向きに位置合わせされた円筒状の壁部分を有するベアリングハウジングの中に据え付けられたローターを保持する基部部分と、円錐研削経路を規定するローターを囲むミルケーシングとを含む。この設計のミルは、下向きに位置合わせされた円筒状のカラーを含み、円筒状のカラーは、円筒状の壁部分において軸方向に動かされ得、ローターと研削経路との間の研削ギャップを設定するように軸方向に調整され得る。
【０００６】
そのような設計の例は、特許文献２に述べられている。その特許の発明は、ミルケーシングを基部部分から単純な方法で取り外す能力にある。
【０００７】
研削ギャップが調整され得るように、下向きに位置合わせされた円筒状のカラーが軸方向に動かされることを可能にする、円錐形状を有するインパクトミルは、当該分野において主要な進歩を表すが、それらの設計は、依然として、これまで取り組まれていないさらなる設計の改善によって改善され得る。
【０００８】
インパクトミルは、例えばゴムのような弾性粒子の粉砕に利用されるとき、他の場合には弾性粒子である粒子の実現可能な有効な粉砕を行うために、低温流体を利用して、通例は極低温で動作される。一般的に、例えば液体窒素のような低温流体は、そのような弾性固体粒子を脆くするように利用される。冷凍粒子によって到達される極低温がミルを囲んでいる周囲温度よりもはるかに低いという事実を考慮すると、この温度勾配は、結果として粒子の急速な温度上昇をもたらす。その結果、インパクトミル、または任意の他のミルにおける最大の粉砕は、粒子の冷凍の直後に始まるはずである。しかしながら、上記で論じられた円錐形状にされた設計を含むインパクトミルは、最初に粒子が粉砕の始まる前に周囲に向かって外向きに動くように要求する。その期間の間、粒子の温度が高められ、粉砕の効果は低減する。
【０００９】
粉砕ミル全般および特に上記で説明されたタイプの円錐ミルに関連した別の問題は、さまざまな材料の特定の粒子の大きさの要件に対して適応するようにインパクトミルの物理的構成を変更できないことである。
【００１０】
最初の大きさが決められている弾性固体の粒子の大きさを変えるために、概して三つの方策が利用される。
【００１１】
粒子の大きさを変えることに利用される第一の方策は、弾性固体粒子を冷凍して結晶状態にするように、低温流体、例えば液体窒素との接触によって、供給材料の温度を変えることである。粒子によって達成可能な最低温度は、低温流体の温度に制限されている。粒子温度を制御する手段は、弾性固体粒子に送達される低温流体の量を調節することである。
【００１２】
生成物の粒子の大きさを変える第二の方策は、ローターの円周速度を変更することである。このことは、インパクトミル設計の物理的限界を考えれば、通例では困難または非実際的である。
【００１３】
粒子の大きさを変更する第三の方策は、衝突要素間の研削ギャップを変えることである。概して、このステップは、ローター構成の修正を要求する。
【００１４】
所望の生成物の粒子の大きさにおける変化を生み出すためのローター構成の変更に関係した関連する問題は、インパクトミルの使い古されたまたは損傷した部分の交換の容易さである。任意の機械デバイスの部品を交換する場合におけるように、問題は、交換される部品の大きさおよび複雑さに比例して大きくなる。
【００１５】
インパクトミルに関連するさらに別の問題は、ローターの回転を引き起こす動力伝達にある。本設計は、複数のベルトまたはギアによる動力伝達手段を使用し、動力伝達手段は、しばしば許容し得ない雑音レベルを伴う。この問題の帰結として、過度な騒音を減らすように動力伝達の速さが低減される場合には、ローターの速さが低減され、その結果として粉砕の結果は許容し得ない。こうして、許容し得ないうるさい騒音を伴わない改善された動力伝達の方法が、インパクトミルの改善された動作に必須なことは、明らかである。
【先行技術文献】
【特許文献】
【００１６】
【特許文献１】独国特許出願公開第２３５３９０７号明細書
【特許文献２】欧州特許第０７８７５２８号明細書
【発明の概要】
【課題を解決するための手段】
【００１７】
（発明の簡潔な概要）
ここで、円錐形状で衝突式の、先行技術の調整可能なギャップの粉砕ミルに関連した問題に取り組む、新しいインパクトミルが開発された。
【００１８】
本発明のインパクトミルは、これまで獲得可能だった極低温よりも低い極低温でその中の固体粒子の粉砕を開始する手段を提供する。すなわち、本発明のインパクトミルにおける粉砕は、粒子がローターと静止したミルケーシングとの間に形成された研削経路に達するより前であっても、最低の粒子温度を利用して、固体粒子のインパクトミルへの取り入れ時点で開始される。したがって、粉砕効率は最大化される。
【００１９】
本発明に従って、基部部分を含むインパクトミルが提供され、基部部分の上にベアリングハウジンングの中に回転可能に据え付けられるローターが配置される。円錐形状のローターは、回転軸と同軸な上向きに位置合わせされた円錐表面部分を有する。複数のインパクトナイフは、円錐表面に据え付けられる。インパクトミルは、外側のミルケーシングを提供され、ミルケーシングの中にローターを囲む円錐トラックアセンブリー（ｔｒａｃｋ  ａｓｓｅｍｂｌｙ）が設置される。ミルケーシングは、下向きに位置合わせされた円筒状のカラーを有し、円筒状のカラーは、ローターと研削トラックアセンブリーとの間に研削ギャップを設定するように、軸方向に調整され得る。ローターの上部表面は、複数のインパクトナイフを提供され、複数のインパクトナイフは、ミルケーシングの上部の内部側表面に配置された複数の静止したインパクトナイフと相補的である。
【００２０】
本発明のインパクトミルはまた、異なる大きさおよびグレードの選択された固体の粉砕の調整可能性という課題に取り組んでいる。この問題は、セグメント化された内部の円錐研削トラックセクションを提供することによって取り組まれ、研削トラックセクションは、可変のインパクトナイフ構成を提供される。この解決法はまた、保守および交換の課題に取り組んでいる。
【００２１】
本発明のこの実施形態に従って、インパクトミルが提供され、その中で円錐形状の、ベアリングハウジングの中に回転可能に据え付けられたローターの下に配置されている。円錐形状のローターは、回転軸と同軸な上向きに位置合わせされた円錐表面部分を有する。複数のインパクトナイフは、円錐表面に据え付けられる。インパクトミルは、外側のミルケーシングを提供され、外側のミルケーシングは、ローターを囲む円錐研削トラックアセンブリーを支持する。ミルケーシングは、下向きに位置合わせされた円筒状のカラーを有し、円筒状のカラーは、ローターと研削トラックアセンブリーとの間に研削ギャップを設定するように軸方向に調整され得、その中でミルケーシングは、別個の円錐セクションで形成される。
【００２２】
別個の円錐セクションで構成される内部の研削トラックアセンブリーは、一連のインターロックする切頭円錐を介して代替の刃構成の選択対象を与える。各円錐アセンブリー構成は、具体的な供給材料の特徴または所望の粉砕される最終生成物に適合するように選択される。研削トラックアセンブリーの各セクションは、回転するナイフの任意の円周速度によって衝突の数を増加または減少させ得、動作パラメートルのマトリックスを提供し得る。円錐研削トラックアセンブリーの形状および角度を変えることは、粒子の方向を変更し、さらなる粒子と粒子との衝突を提供する。本発明の人間工学的な特質は、研削トラックアセンブリー全体を交換する必要なしに、使い古されたまたは損傷した切頭円錐を交換することを可能にする。
【００２３】
本発明のインパクトミルはまた、騒音汚染を伴わない有効な動力伝達という課題に取り組む。
【００２４】
本発明のさらなる実施形態に従って、インパクトミルは、基部部分を提供され、基部部分の上に、ベアリングアセンブリーの中に回転可能に据え付けられたローターが配置される。円錐形状のローターは、回転軸と同軸な上向きに位置合わせされた円錐表面部分を有する。複数のインパクトナイフは、円錐表面に据え付けられる。インパクトミルは、外側のミルケーシングを提供され、外側のミルケーシングは、ローターを囲む円錐研削トラックアセンブリーを支持する。ミルケーシングは、下向きに位置合わせされた円筒状のカラーを有し、円筒状のカラーは、ローターと研削トラックアセンブリーとの間の研削ギャップを設定するように軸方向に調整され得る。高速で動作するとき、ベルトのすべりおよび過度な騒音を緩和するために、インパクトミルのローターシャフトは、スプロケット式（ｓｐｒｏｃｋｅｔｅｄ）駆動シーブを提供され、ローターは、スプロケット式駆動シーブ上に収容され、動力源とつながっている同期スプロケット式ベルトによって回転される。
例えば、本発明は以下の項目を提供する。
（項目１）
インパクトミルであって、該インパクトミルは、ベアリングハウジングの中に回転可能に据え付けられたローターが配置された基部部分を備え、該ローターは、回転軸と同軸の上向きに位置合わせされた円錐表面部分を有し、該インパクトミルは、円錐研削経路を形成するために該ローターを囲む円錐トラックアセンブリーが中に設置されたミルケーシングを提供され、該ミルケーシングは、該ローターと該ミルケーシングとの間の研削ギャップを設定するように軸方向に調整され得る、下向きに位置合わせされた円筒状のカラーを有し、該ローターの該上部表面は、該ミルケーシングの内側ハウジング表面上に配置された複数のインパクトナイフに対して相補的な複数のインパクトナイフを提供される、インパクトミル。
（項目２）
上記ローター上に配置された上記インパクトナイフと、上記ミルケーシング上に配置された上記インパクトナイフとは、同一の形状および大きさを有する、項目１に記載のインパクトミル。
（項目３）
上記ローターの上記上部表面の上に配置された上記インパクトナイフと、上記ミルケーシングの上記内側ハウジング表面の上に配置された上記インパクトナイフとは、上記回転軸から半径が等間隔に配置され等距離にある、項目１に記載のインパクトミル。
（項目４）
上記ローターの上記上部表面および上記ミルケーシングの上記内側上部表面の上に、軸方向の軸から周囲の縁まで外向きに半径が等間隔で配置された、３〜７個の半径のインパクトナイフがある、項目３に記載のインパクトミル。
（項目５）
５個の半径のインパクトナイフが提供される、項目４に記載のインパクトミル。
（項目６）
複数のインパクトナイフは、上記ローターの外側の縁に配置される、項目１に記載のインパクトミル。
（項目７）
インパクトミルであって、該インパクトミルは、ベアリングハウジングの中に回転可能に据え付けられたローターが配置された基部部分を備え、該ローターは、回転軸と同軸の上向きに位置合わせされた円錐表面部分を有し、該インパクトミルは、円錐研削経路を形成するために、該ローターを囲む円錐研削トラックアセンブリーが中に設置されたミルケーシングを提供され、該ミルケーシングは、該ローターと該ミルケーシングとの間の研削ギャップを設定するように軸方向に調整され得る、下向きに位置合わせされた円筒状のカラーを有し、該円錐研削トラックアセンブリーは、別個の円錐研削トラックセクションで形成される、インパクトミル。
（項目８）
上記別個の円錐セクションは、インターロックされて研削トラックアセンブリーを形成する、項目７に記載のインパクトミル。
（項目９）
上記別個の円錐セクションは、インターロックし、かみ合う切頭円錐である、項目８に記載のインパクトミル。
（項目１０）
上記円錐研削トラックセクションの各々は、交互になったインパクトナイフの構成を提供される、項目７に記載のインパクトミル。
（項目１１）
三つの別個の円錐研削トラックセクションが提供される、項目７に記載のインパクトミル。
（項目１２）
インパクトミルであって、該インパクトミルは、ベアリングハウジングの中に回転可能に据え付けられたローターが配置された基部部分を備え、該ローターは、回転軸と同軸の上向きに位置合わせされた円錐表面部分を有し、該インパクトミルは、円錐研削経路を形成するために、該ローターを囲む円錐トラックアセンブリーが中に設置されたミルケーシングを提供され、該ミルケーシングは、該ローターと該ミルケーシングとの間の研削ギャップを設定するように軸方向に調整され得る、下向きに位置合わせされた円筒状のカラーを有し、該ローターは、スプロケット式駆動シーブを提供されるシャフトを提供され、該ローターは、該スプロケット式駆動シーブによって調整される同期スプロケット式ベルトによって回転され、該ベルトは動力源とつながっている、インパクトミル。
（項目１３）
上記同期ベルトは、螺旋状のオフセット歯を有する上記スプロケット式シーブと、上記動力源に接続された第二の同一のシーブとの中に収容された、螺旋状の溝を提供される、項目１２に記載のインパクトミル。
（項目１４）
上記ベルト上の螺旋状の溝と上記螺旋状のオフセット歯とは山形である、項目１３に記載のインパクトミル。
【図面の簡単な説明】
【００２５】
本発明は、添付の図面への参照によって、よりよく理解され得る。
【図１】図１は、本発明のインパクトミルの軸方向の断面図である。
【図２】図２は、供給材料を中に取り入れることを表す、インパクトミルの一部分の軸方向の断面図である。
【図３】図３は、インパクトミルの上側ハウジングセクションの上部と、ローターの上部とに配置された、インパクトナイフの平面図である。
【図４−１】図４ａ、図４ｂは、図３に示される代替の構成の、回転するインパクトナイフおよび静止しているインパクトナイフの配列の平面図である。
【図４−２】図４ｃは、図３に示される代替の構成の、回転するインパクトナイフおよび静止しているインパクトナイフの配列の平面図である。
【図５ａ】図５ａ、図５ｂおよび図５ｃは、三つのインパクトナイフ設計を表す、図４ａおよび図４ｂのＡ−Ａ面に沿って取られた断面図である。
【図５ｂ】図５ａ、図５ｂおよび図５ｃは、三つのインパクトナイフ設計を表示する、図４ａおよび図４ｂのＡ−Ａ面に沿って取られた断面図である。
【図５ｃ】図５ａ、図５ｂおよび図５ｃは、三つのインパクトナイフ設計を表示する、図４ａおよび図４ｂのＡ−Ａ面に沿って取られた断面図である。
【図６】図６は、インパクトミルの外側の同心研削トラックのローターの実施形態の断面図である。
【図７】図７は、典型的な相互接続された研削トラックの位置合わせを示す断面図である。
【図８】図８は、インパクトミルのローターを回転させるための伝達手段の概略の表示である。
【図９】図９は、同期ベルトと、インパクトミルの動力の伝達において利用されるベルトとつながっているスプロケット式駆動シーブとの等角投影図である。
【発明を実施するための形態】
【００２６】
（詳細な説明）
インパクトミル１００は、下側基部セクション１ａ、中央ハウジングセクション１ｂおよび上部ハウジングセクション１ｃという、三つのハウジングセクションを含む。下側基部セクション１ａは、ローター３が回転可能に据え付けられたベアリングハウジング２を有している。中央ハウジングセクション１ｂは、下側ハウジングセクション１ａの中に同心でぴったり重ねられ７、上側ハウジングセクション１ｃに対して同心の垂直な位置合わせを提供する。二つのハウジングセクションの取り外し可能な接続のために、複数のボルト８が提供される。上部ハウジングセクション１ｃは、円錐研削トラックアセンブリー５に対して同心の先細になった重ね合わせを提供する。円錐研削トラックアセンブリー５は、上部ハウジングセクション１ｃにその下端６においてしっかりと接続される。ローター３は、モーター３４によって、ローターシャフトの下端において提供されるベルト３２およびシーブ４を使って駆動される。
【００２７】
上部セクション１ｃは、円錐研削トラックアセンブリー５を含む。研削トラックアセンブリー５は、切頭円錐の形状を有する。研削トラックアセンブリー５は、研削ギャップＳがローター３にしっかり固定された研削ナイフ３ａと研削トラックアセンブリー５との間に形成されるようにローター３を囲む。上部セクション１ｃはまた、中央ハウジングセクション１ｂ内で軸方向に移され得る、下向きに位置合わせされた円筒状のカラー１１を含む。円筒状のカラー１１は、上部セクション１ｃの不可欠なコンポーネントを形成する。外向きに位置合わせされたフランジ１２は、円筒状のカラー１１の上端において提供される。複数のスペーサーブロック１４が、フランジ１２と中央セクション１ｂの上端に配置されるさらなるフランジ１３との間に配置される。こうして、スペーサーブロック１４が、フランジ１２とフランジ１３との間の軸方向の環境を規定する。したがって、スペーサーブロック１４は、研削ギャップＳの幅を規定する。そのようなものとして、この幅は調整可能である。いったん所望の研削ギャップＳが設定されると、上部セクション１ｃは、複数のボルト１５を使って中央セクション１ｂにしっかり固定される。上部セクション１ｃおよび研削トラックアセンブリー５は、ローターの軸Ａと同軸に配置される。
【００２８】
極低温に冷凍された供給材料１８は、入口２０を通り上側ハウジングセクション１ｃの上部１６によって規定される経路を使ってインパクトミル１００に入り、上側ハウジングセクション１ｃの上部１６は、上側セクション１ｃとローター３との間にある複雑な配置の水平空間４０に供給材料１８を運ぶ。供給材料１８は、上側ハウジングセクション１ｃの上部１６の内側のハウジング表面およびローター３の上部部分１７によって規定される経路を介する遠心力を使って、ギャップＳによって規定される周辺空間に移動する。供給材料１８は、水平空間４０に入るとき、その最低温度にある。こうして、ローター３の上部部分１７に接続されたインパクトナイフ１９は、上側ハウジングセクション１ｃの上部１６の内側のハウジング表面上に配置される静止インパクトナイフ２１とともに、供給材料１８の直接の粉砕を提供し、供給材料１８の直接の粉砕は、先行技術の実施形態においては、その後に複数のインパクトナイフ１９およびインパクトナイフ２１がない状態で最初の粉砕を受けるようになっていた。
【００２９】
図面によって図示された好ましい実施形態において、インパクトナイフ１９およびインパクトナイフ２１は、軸方向の軸Ａからローター３の上部部分１７および上部ハウジングセクション１ｃの上部１６の内側のハウジング表面の周囲の縁へ、外向きの半径方向に配置される。三つから七つのナイフ半径が提供されることが好ましい。一つの特に好ましい実施形態において、インパクトナイフ２１は、上部ハウジングセクション１ｃの上部１６の内側のハウジング表面上で半径方向に位置決めされ、インパクトナイフ１９は、ローター３の上部部分１７上で互いに７２度離れた五つの等角度の半径方向に位置決めされる。しかしながら、例えば６０度離れた六つのナイフ半径または５１．４３度離れた七つのナイフ半径のような、より大きな数のインパクトナイフもまた利用され得る。加えて、例えば１２０度離れた三つのナイフ半径のような、より少ない数のインパクトナイフが同様に利用され得る。
【００３０】
好ましい実施形態において、上側ハウジングセクション１ｃの上部１６の内側のハウジング表面およびローター３の上部部分１７の上にそれぞれ配置されるインパクトナイフ２１およびインパクトナイフ１９は、同一である。それらの形状は、当該分野において公知の任意の便利な形態であり得る。例えば、Ｔの形状の２１ｂまたは１９ｂ、曲線になったＴの形状の２１ａまたは１９ａ、または四角い縁２１ｃもしくは四角い縁１９ｃが利用され得る。インパクトナイフ２１およびインパクトナイフ１９はまた、衝突効率を最大化するために先細の先端を有し得る。先細部分は、任意の鋭角２３であり得る。例えば、３０度の角度が、図面に図示されている。インパクトナイフ１９は、ローター３の上部部分１７にしっかり固定され、インパクトナイフ２１は、上側ハウジングセクション１ｃの上部１６の内側のハウジング表面にしっかり固定される。
【００３１】
冷凍された供給材料１８は、静止ファネル２４を使ってミル１００の中に充填され、静止ファネル２４は、上側ハウジングセクション１ｃの上部１６の内側のハウジング表面の中心で提供される。供給材料１８は、すぐにローター３の上部部分１７に当たり、半径方向および接線方向に加速される。この半径方向および接線方向の移動の際に、供給材料１８は、複数の静止インパクトナイフ２１および回転インパクトナイフ１９に当たる。回転ナイフによって影響されるこの衝突は、この衝突が流れのパターンを妨げ、その結果、静止ナイフに向かう乱流の半径方向および接線方向の固体粒子の流れが生じるとき、半径方向に加速された供給材料１８の一部を粉々にする。参照番号４０によって示された上記の空間における衝突の後に、供給材料１８は、ローター３の外縁に据え付けられた一連の回転ナイフ３ａに向かう乱流の半径方向および接線方向の動きを続ける。供給材料１８が、容量をギャップＳによって制御される円錐研削経路１０の中で粒子の大きさの最後の低減を行われているとき、これらの衝突は、接線方向の放出速度を増す。
【００３２】
円錐形状のインパクトミル１００は、好ましい実施形態において、別個の円錐セクションで形成される円錐研削トラックアセンブリーを利用する。この設計の進歩は、一連のかみ合い、インターロックする切頭円錐が、ミル１００内の研削軌道パターンを変更することを可能にする。この実施形態において、各円錐研削トラックアセンブリーセクション５は、特定の供給材料または所望の最終生成物に適合するように選択される。トラックアセンブリー５の各セクションは、代替インパクトナイフ構成を提供され、代替インパクトナイフ構成は、供給材料１８が受ける衝突の数を増加させるか、または減少させるかのいずれかの能力を提供する。加えて、円錐アセンブリーセクション５のインパクト表面の形状および角度の調整はまた、供給材料粒子の方向の変更を可能にする。
【００３３】
ミル１００のこの好ましい実施形態の別の利点は、経済性にある。円錐アセンブリー全体を交換する必要なく、使い古されたまたは損傷した円錐セクションを交換することは、維持コストを低減する。
【００３４】
円錐研削トラックアセンブリーセクション５の相互接続は、当該分野において公知の任意の接続手段によって提供され得る。一つのそのような好ましい設計は、図７に図示されるような鍵インターロックを利用する。その中で、セクション２６とセクション２７との相補的な形状は、インターロックするアセンブリーを結果としてもたらす。特に、セクション２６とセクション２７とは、インターロックし、かみ合う切頭円錐である。
【００３５】
この好ましい実施形態において、インパクトミル１００は、複数のセクションに分割される。図面は、典型的な設計と、複数の三つの部分（上部セクション２６、中間セクション２７、および下端６において適所にしっかりと留められた研削トラックアセンブリーを有する底部セクション２８）とを図示する。この構成は、スペーサーブロック１４を追加または除去することによって、外からの研削ギャップの調整を可能にする。
【００３６】
本発明の別の実施形態において、インパクトミル１００は、これまでの獲得可能なレベルより低い騒音レベルで直接の動力伝達を提供する動力伝達手段を含む。本発明のミル１００への動力伝達手段の典型的な設計において、それに関連した騒音は、約２０ｄｂＡまでは低減される。動力伝達に対する悪影響なくこの低減された騒音レベルを提供するために、ローター３上でスプロケット式駆動シーブ４上に収容された同期スプロケット式ベルト３２は、ローター３の回転を引き起こす。ベルト３２は、例えばエンジン３４のような動力源とつながり、動力源は、シーブ４と同一のシーブ３０で終わるシャフト３５を回転させる。好ましい実施形態において、ベルト３２は、シーブ４およびシーブ３０上のねじれ刃３１と係合する複数の螺旋状刻み目３３を提供される。山形のような設計は、ねじれ刃３１が刃全体を突然たたきつけるのではなく、スプロケットと徐々に係合することを可能にする。さらには、この設計は、結果として駆動ベルトの自己追跡をもたらし、そのようなものとして、フランジのあるシーブは必要とされない。
【００３７】
動作において、エンジン３４であり得る動力源は、動力源に接続されたシャフト３５を回転させる。シャフト３５は、シーブ４と同一であるシーブ３０とはめ合わされる。ベルト３２は、シーブ４とシーブ３０との間でつながり、ローター３の回転を生み出す。ベルト３２とシーブ４とシーブ３０との間の実質的にすべての接触は、シーブの刃３１がベルト３２の溝３３と係合することによって生じ、その係合は騒音発生をかなり低減する。
【００３８】
上記の実施形態は、本発明の範囲および精神を説明するために与えられる。これらの実施形態は、当該分野における当業者に対して他の実施形態を明らかにする。これらの他の実施形態は、本発明が予想する範囲内にある。したがって、本発明は、添付の特許請求の範囲によってのみ制限されるべきである。
【図１】
0005520810.tif 000002
【図２】
0005520810.tif 000003
【図３】
0005520810.tif 000004
【図４−１】
0005520810.tif 000005
【図４−２．５−１】
0005520810.tif 000006
【図６】
0005520810.tif 000007
【図７】
0005520810.tif 000008
【図８】
0005520810.tif 000009
【図９】
0005520810.tif 000010